(57)【要約】【課題】無線機から取得したログデータを解析する際に、解析時間を著しく短縮化し、もって、無線機の動作特性（例えば、発振周波数、送信出力等）を把握するまでの時間を飛躍的に短縮化したログデータ解析方法を提供する。【解決手段】無線機から取得したログデータの表示レートを予め設定するステップと、無線機から取得したログデータを自動的にファイル化するステップと、上記設定された表示レートに対応したデータ数のログデータを自動的に読み込むステップと、読み込んだログデータを自動的に解析するステップとを含むログデータ解析ツールを使用する。【選択図】  図２
2007335998.tif 000002
【特許請求の範囲】
【請求項１】
無線機の動作特性を示すログデータを入力し、該入力したログデータのうち所要のデータを抽出するステップと、該抽出されたデータを解析するステップと、該解析されたデータに基づき所定のグラフを作成するステップと、上記グラフ作成の基となるログデータの読み込み数量を調整するステップと、を自動化せしめるログデータ解析ツールを備え、上記無線機のログデータの解析と読み込み数量の調整に要する時間を飛躍的に短縮化したことを特徴とする無線機のログデータ解析方法。
【請求項２】
無線機の動作特性を示すログデータを入力するステップと、上記無線機から取得したログデータを自動的にファイル化するステップと、該ファイル化されたログデータの読み込み数量を設定するステップと、該設定された読み込み数量に対応したログデータを自動的に読み込むステップと、該読み込んだログデータを自動的に解析するステップとを含み、上記無線機のログデータの解析と読み込み数量の調整に要する時間を飛躍的に短縮化したことを特徴とする無線機のログデータ解析方法。
【発明の詳細な説明】
【技術分野】
【０００１】
本発明は、無線機の動作特性に係るログデータの解析方法に関するものである。
【背景技術】
【０００２】
従来は、図４に示すように、無線機の動作特性を示すログデータ（例えば、発振周波数、送信出力等）の中から、データ解析処理に必要なデータを手作業で抽出していた。また、抽出したデータをグラフ化するときに、グラフ作成機能を有するソフトウエア（例えば、Excel）におき、読み込み可能な（表示レートに対応した）データ数量を読み込むよう、手動調整を行っていた。このように、無線機の動作特性を示すログデータの中から、データ解析に必要なデータを抽出する処理が、手作業である上、データをグラフ化する際に、グラフ作成機能を有するソフトウエアにおき、読み込み可能なデータ数量とするために、手動調整が必要であって、多大な時間を必要としていた。
【特許文献１】特開２０００−７６１０１号公報
【発明の開示】
【発明が解決しようとする課題】
【０００３】
上述したように、従来は、無線機から取得したログデータを解析する際に、ログデータの中から、必要なデータの抽出処理が手作業となる上、グラフ作成機能を有する所定のソフトウエアにおいて、読込み可能なデータ数となるように、読み込みデータ数の手動調整が必要であったため、ログデータ解析やグラフ作成に、多大な時間を必要としていた。  本発明は、かかる状況に鑑み、上記の問題を解決するために為されたもので、本発明の目的は、無線機のログデータを解析する際に、解析時間を著しく短縮化し、無線機の動作特性（例えば、発振周波数、送信出力等）を把握するまでの時間を、飛躍的に短縮化した無線機のログデータ解析方法を提供することを目的とする。
【課題を解決するための手段】
【０００４】
本発明は、上記の目的を達成するために、（A）無線機の動作特性を示すログデータを入力し、該入力したログデータのうち所要のデータを抽出するステップ、（B）該抽出されたデータを解析するステップ、（C）該解析されたデータに基づき所定のグラフを作成するステップ、（D）上記グラフ作成の基となるログデータの読み込み数量を調整するステップを、自動化せしめる「ログデータ解析ツール」を備え、無線機のログデータの解析と読み込み数量の調整に要する時間を飛躍的に短縮化したものである。また、本発明は、（A）無線機の動作特性を示すログデータを入力するステップ、（E）上記無線機から取得したログデータを自動的にファイル化するステップ、（F）該ファイル化されたログデータの読み込み数量を設定するステップと、（D）該設定された読み込み数量に対応したログデータを自動的に読み込むステップと、（B）該読み込んだログデータを自動的に解析するステップとを含み、上記無線機のログデータの解析と読み込み数量の調整に要する時間を飛躍的に短縮化したものである。
【発明の効果】
【０００５】
本発明によれば、無線機から取得したログデータを解析する際に、データ解析時間を著しく短縮化することができる。もって、無線機の動作特性（例えば、発振周波数、送信出力等）を把握するまでの時間を、飛躍的に短縮化することができる。
【発明を実施するための最良の形態】
【０００６】
以下、本発明に係る実施例を、図面を参照して説明する。図１は、本発明の一実施例のシステム構成を示す図である。図中、１は無線機、２はパーソナルコンピュータ（以下、パソコン）を示す。無線機１の動作特性（例えば、発振周波数、送信出力等）を示すログデータを解析するときには、例えば、無線機１のDSP部と、パソコン２のシリアル端子との間をRS232Cインタフェースケーブルで接続する。ここで、無線機１のDSP部は、無線機１の動作特性を示すログデータを常時出力する機能を有している。このため、無線機１のDSP部とパソコン２のシリアル端子を接続することによって、常に、無線機１のログデータをパソコン２へ供給することができる。
【０００７】
図２は、本発明の一実施例におけるログデータの流れを示す図である。上述したように、無線機のログデータは、RS232Cインタフェースケーブルを介して、パソコンへ供給される。供給されたログデータは、パソコン内のハイパーターミナルにおいて、テキストファイル化される。このテキストファイル化されたログデータは、パソコン内の「無線機ログ解析ツール」にて、所要のデータが抽出され、データ解析が為される。このログデータの解析結果は、CSV（カンマ区切り）データとして出力される。CSVデータは、グラフ作成機能を有する所定のソフトウエア（例えば、Excel）を利用して、グラフ化される。例示すると、無線機の動作特性（例えば、発振周波数、送信出力）の変移などに係るデータがグラフ化される。
【０００８】
図３は、本発明の無線機ログ解析ツールによるログデータ解析方法の一例を示すフローチャートである。まず、パソコン内のハイパーターミナルにおいて、テキストファイル化されたログデータ（以下、生データ）が無線機ログ解析ツールに供給され、ログデータが解析される。一方、ログデータの解析結果をグラフ化するに際し、グラフ作成機能を有する所定のソフトウエアを使用する。しかしながら、例えばExcelでは、一度に処理可能なデータ数は約30,000件と少ない。
【０００９】
このため、本実施例では、一度に処理可能なデータ数を、例えば、30,000件〜300,000件の範囲で選択できるようにする。図５（A）に示すメイン操作画面上におき、予めユーザ（操作者）が複数の異なる表示レートのうち、所望の表示レート（一度に読み込み可能なデータ数量）を択一的に選択し、読み込み可能なデータ数量を設定する。読み込み可能なデータ数量の設定例を以下に例示する。（１）表示レートを２倍とする場合：30,000×2=60,000件のデータ読み込み可能。（２）表示レートを３倍とする場合：30,000×3=90,000件のデータを読み込み可能。（３）表示レートを４倍とする場合：30,000×4=120,000件のデータを読み込み。（４）表示レートを１０倍とする場合：30,000×10=600,000件のデータを読み込み可能。
【００１０】
ここで、生データは、10msに1行の間隔で出力されるため、1行目のデータと10行目のデータの間隔は100msと微少なことから、例えば10件のデータの中から1件のデータのみを選出したとしても、全体の動作は把握することができる。このように、データを間引いて選出することによって、表示レート（即ち、一度に読み込み可能なデータ数量）を変えることができるのである。（１）表示レートを２倍とする場合：２件のデータのうちはじめの１件を選出。（２）表示レートを３倍とする場合：３件のデータのうちはじめの１件を選出。（３）表示レートを４倍とする場合：４件のデータのうちはじめの１件を選出。（４）表示レートを１０倍とする場合：１０件のデータのうちはじめの１件を選出。このように、複数データの中から、データを間引いて選出することで、表示レートを変更して設定することができる。例えば、表示レートを10倍に設定することで、最大300,000件のデータを一度に処理することができる。必要なデータを解析した後は、図５（B）に示すように、CSV（カンマ区切り）データとして出力される。
【００１１】
従来の方法では、データ解析からグラフ化まで、２〜３時間要していたが、本発明によれば、データ解析からグラフ化まで、約1分間と、飛躍的に時間を短縮することが可能となる。また、グラフ化処理に関し、例えば、Excelを使用した場合、1度にグラフ化できるデータ数は、約３万件であるが、本発明の実施例の如く、グラフの表示レート（即ち、一度に読み込み可能なデータ数量）を変更設定するにより、約３０万件のデータを一度に処理することが可能となる。
【図面の簡単な説明】
【００１２】
【図１】本発明の一実施例のシステム構成を示す図である。
【図２】本発明の一実施例におけるログデータの流れを示す図である。
【図３】本発明の一実施例におけるログデータ解析方法の一例を示す図である。
【図４】従来のログデータ解析方法の一例を示す図である。
【図５】本発明の一実施例における表示方法の一例を示す図。
【符号の説明】
【００１３】
１：無線機、
２：パーソナルコンピュータ（パソコン）。
【図１】
2007335998.tif 000003
【図２】
2007335998.tif 000004
【図３】
2007335998.tif 000005
【図４】
2007335998.tif 000006
【図５】
2007335998.tif 000007